(57)【要約】      （修正有）【課題】被調和空気の通風抵抗をなくし、塵埃を確実に除去でき、小型で安価なエアフィルタ清掃機能を備えた空気調和機の室内機を提供する。【解決手段】エアフィルタの風上側に、エアフィルタを横切るように配置されて、エアフィルタに対向する面に開口部を形成し、内部に塵埃を収容するダストボックス３１と、このダストボックス内に、その一部が開口部３２より外面に露出するように回転自在に支持されて、エアフィルタに付着する塵埃を除去する回転ブラシ３０とを有し、エアフィルタ表面に付着した塵埃を回転ブラシで除去し、ダストボックス内に収集するエアフィルタ清掃ユニット２０を備え、回転ブラシ３０は、導電性を有し、高電圧が印加される荷電電極部を構成し、この回転ブラシ風下側の対向位置に、ダストボックスに対し前後方向に移動自在に設けられ、導電性を有する板状の対向電極板３３を備えた。【選択図】図４
2010203683.tif 000002
【特許請求の範囲】
【請求項１】
室内機本体に設けられる吸込口に対向してエアフィルタを設置し、このエアフィルタの風上側にエアフィルタを横切るように配置されてエアフィルタに対向する面に開口部を形成し内部に塵埃を収容するダストボックスと、このダストボックス内にその一部が開口部より外面に露出するように回転自在に支持されてエアフィルタに付着する塵埃を除去する回転ブラシとを有し、エアフィルタ表面に付着した塵埃を回転ブラシで除去しダストボックス内に収集するエアフィルタ清掃ユニットを備えた空気調和機の室内機において、
前記回転ブラシは、導電性を有し高電圧が印加される荷電電極部を構成し、この回転ブラシ風下側の対向位置にダストボックスに対し前後方向に移動自在に設けられ、前進状態では、ダストボックスの開口部に近接もしくは当接位置に移動し、後退状態では、エアフィルタの風下側位置に配置される導電性を有する板状の対向電極板を備えたことを特徴とする空気調和機の室内機。
【請求項２】
室内機本体に設けられる吸込口に対向してエアフィルタを移動可能に設置し、このエアフィルタの風上側にエアフィルタの移動方向に対し横切るように配置されてエアフィルタに対向する面に開口部を形成し内部に塵埃を収容するダストボックスと、このダストボックス内にその一部が開口部より外面に露出するように回転自在に支持されてエアフィルタに付着する塵埃を除去する回転ブラシとを有し、前記エアフィルタをダストボックスに向けて移動させてエアフィルタ表面に付着した塵埃を回転ブラシで除去しダストボックス内に収集するエアフィルタ清掃ユニットを備えた空気調和機の室内機において、前記回転ブラシは、導電性を有し高電圧が印加される荷電電極部を構成し、この回転ブラシ風下側の対向位置にダストボックスに対し前後方向に移動自在に設けられ、前進状態では、ダストボックスの開口部に近接もしくは当接位置に移動し、後退状態では、エアフィルタの風下側位置に配置される導電性を有する板状の対向電極板を備えたことを特徴とする空気調和機の室内機。
【請求項３】
前記導電性の回転ブラシは、導電性の中心軸に高圧が印加され、ブラシ部の全体もしくは一部に導電性を持たせた構成でなることを特徴とする請求項１または２に記載の空気調和機の室内機。
【発明の詳細な説明】
【技術分野】
【０００１】
本発明は空気調和機の室内機に係り、特にエアフィルタ清掃機能と電気集塵機能を一体に備えるエアフィルタ清掃ユニットが設けられた空気調和機の室内機に関する。
【背景技術】
【０００２】
空気調和機の室内機にエアフィルタを設け、被調和空気の塵埃の除去を行っているが、エアフィルタヘの塵埃付着は、性能低下の要因、省エネの阻害要因となり、送風性能を悪化させ、空気調和機の空気調和能力を著しく悪化させる。
【０００３】
そのため、エアフィルタに付着した塵埃を定期的に除去する必要があり、自動的に塵埃を除去するエアフィルタ清掃ユニット（塵埃除去装置）を備えた空気調和機の室内機が提案されている（例えば、特許文献１参照）。
【０００４】
また、被調和空気の流路中に電気集塵機を設けて、通常のエアフィルタでは除去出来なかった微細な塵埃を電極に捕集し、その後電極の極性を切換えて捕集した塵埃を剥離させて除去する空気調和機の室内機が提案されている（例えば、特許文献２参照）。
【先行技術文献】
【特許文献】
【０００５】
【特許文献１】特開２００７−１５５２３９号公報
【特許文献２】特開２００８−１８３５４３号公報
【発明の概要】
【発明が解決しようとする課題】
【０００６】
特許文献１に記載のエアフィルタ清掃ユニットは、エアフィルタに捕集した塵埃をブラシで掻き取ることで、エアフィルタに付着した塵埃は十分に掻き取ることができるが、エアフィルタを通過してしまうような微細な塵埃については除去出来ない。
【０００７】
また、特許文献２の方式では、上記のエアフィルタでは集塵できない微細な塵埃を除去する手段が記載されており、この手段を上記特許文献１に示されたエアフィルタ清掃ユニットに組み合わせることで、あらゆる塵埃の集塵除去が可能となる。
【０００８】
しかしながら、上記したエアフィルタ清掃ユニットと電気集塵機を同時に設けることで、あらゆる塵埃の集塵および集塵した塵埃の自動清掃が可能となる反面、それぞれが、独立した構造を備えるため、室内機内に大きな配置スペースが必要となり、室内機筐体の大型化と製品価格の上昇を招き、このため一部の高級機種のみしか採用されていなかった。このため、このような機能を備えたコンパクトな筐体にも収納可能な空気調和機が望まれていた。
【０００９】
本発明は、上述した事情を考慮してなされたものであり、エアフィルタ清掃機能と電気集塵機能を一体に備えたエアフィルタ清掃ユニットにより、エアフィルタに捕集した塵埃をブラシで掻き取るとともに、エアフィルタでは捕獲出来ない被調和空気中の微細な塵埃を導電性の荷電電極を構成するエアフィルタ清掃ユニットの回転ブラシと回転ブラシの風下側に配置された導電性の対向電極板で構成する電気集塵機能により除去することで、あらゆる塵埃を確実に除去でき、小型で安価なエアフィルタ清掃機能と電気集塵機能およびその清掃機能を備えた空気調和機の室内機を提供することを目的とする。
【課題を解決するための手段】
【００１０】
本発明に係る空気調和機の室内機は、室内機本体に設けられる吸込口に対向してエアフィルタを設置し、このエアフィルタの風上側にエアフィルタを横切るように配置されてエアフィルタに対向する面に開口部を形成し内部に塵埃を収容するダストボックスと、このダストボックス内にその一部が開口部より外面に露出するように回転自在に支持されてエアフィルタに付着する塵埃を除去する回転ブラシとを有し、エアフィルタ表面に付着した塵埃を回転ブラシで除去しダストボックス内に収集するエアフィルタ清掃ユニットを備え、前記回転ブラシは、導電性を有し高電圧が印加される荷電電極部を構成し、この回転ブラシ風下側の対向位置にダストボックスに対し前後方向に移動自在に設けられ、前進状態では、ダストボックスの開口部に近接もしくは当接位置に移動し、後退状態では、エアフィルタの風下側位置に配置される導電性を有する板状の対向電極板を備えたことを特徴とする。
【００１１】
また、空気調和機の室内機は、室内機本体に設けられる吸込口に対向してエアフィルタを移動可能に設置し、このエアフィルタの風上側にエアフィルタの移動方向に対し横切るように配置されてエアフィルタに対向する面に開口部を形成し内部に塵埃を収容するダストボックスと、このダストボックス内にその一部が開口部より外面に露出するように回転自在に支持されてエアフィルタに付着する塵埃を除去する回転ブラシとを有し、前記エアフィルタをダストボックスに向けて移動させてエアフィルタ表面に付着した塵埃を回転ブラシで除去しダストボックス内に収集するエアフィルタ清掃ユニットを備え、前記回転ブラシは、導電性を有し高電圧が印加される荷電電極部を構成し、この回転ブラシ風下側の対向位置にダストボックスに対し前後方向に移動自在に設けられ、前進状態では、ダストボックスの開口部に近接もしくは当接位置に移動し、後退状態では、エアフィルタの風下側位置に配置される導電性を有する板状の対向電極板を備えたことを特徴とする。
【発明の効果】
【００１２】
本発明に係る空気調和機の室内機によれば、エアフィルタ清掃機能と電気集塵機能およびその清掃機能を一体に備えたエアフィルタ清掃ユニットにより、エアフィルタに捕集した塵埃を回転ブラシで掻き取り除去するとともに、被調和空気中の微細な塵埃を導電性を有し高電圧が印加される荷電電極部を構成の回転ブラシとこの回転ブラシ風下側の対向位置配置される導電性を有する板状の対向電極板との電気集塵機能により除去し、対向電極板に付着した微細な塵埃も自動で清掃が出来、あらゆる塵埃を室内機のエアフィルタ、集塵電極から確実に除去して、常に清潔で最適な状態での運転が可能な小型で安価なエアフィルタ清掃機能を備えた空気調和機の室内機を提供することができる。
【図面の簡単な説明】
【００１３】
【図１】本発明の一実施形態の空気調和機の室内機の前面パネルを取り外して示す斜視図。
【図２】本発明の一実施形態の空気調和機の室内機のエアフィルタ清掃ユニットの断面を示す斜視図。
【図３】本発明の一実施形態の空気調和機の室内機に用いるエアフィルタ清掃ユニットの概念図。
【図４】本発明の空気調和機の室内機に用いるエアフィルタ清掃ユニットの作用を説明する概念図。
【図５】本発明の一実施形態の空気調和機の室内機に用いるエアフィルタ清掃ユニットの導電性を有する電気集塵機の荷電電極部を構成する回転ブラシを示し、（ａ）は正面図、（ｂ）は側面図。
【図６】本発明の空気調和機の室内機に用いるエアフィルタ清掃ユニットの導電性を有する電気集塵機の荷電電極部を構成する回転ブラシの変形例を示し、（ａ）は正面図、（ｂ）は側面図。
【図７】本発明の一実施形態の空気調和機の室内機に用いるエアフィルタ清掃ユニットにおける回転ブラシの風下側に対向位置に移動自在に設けられる対向電極板の移動状態を示し、（ａ）は下部位置、（ｂ）は上部位置への移動状態を示す概念図。
【図８】本発明の一実施形態の空気調和機の室内機に用いるエアフィルタ清掃ユニットの導電性を有する電気集塵機の荷電電極部を構成する回転ブラシの印加状態を示す側面図。
【図９】本発明の一実施形態の空気調和機の室内機に用いるエアフィルタ清掃ユニットの動作状態を示し、（ａ）エアフィルタによる集塵状態を示し、（ｂ）エアフィルタからの塵埃除去状態を示す概念図。
【図１０】本発明の他の実施形態の空気調和機の室内機に用いるエアフィルタ清掃ユニットの動作状態を示し、（ａ）導電性を有する電気集塵機の荷電電極部を構成する回転ブラシが高圧印加状態を示し、（ｂ）は回転ブラシの風下側に対向位置に移動自在に設けられる対向電極板が高圧印加状態を示す概念図。
【発明を実施するための形態】
【００１４】
本発明の一実施形態に係る空気調和機の室内機について添付図面を参照して説明する。
【００１５】
図１及び図２に示すように、本発明の一実施形態に係る空気調和機の室内機１は、室内機本体２を備え、この室内機本体２の前側筐体を構成する前面パネル３と、後板筐体４とから構成され、上下方向に対して幅方向に横長状をなす。
【００１６】
室内機本体２の前面側一部に前面吸込口５が開口され、この前面吸込口５に対向する前面パネル３には開閉駆動機構に支持される可動パネル３Ａが嵌め込まれる。
【００１７】
運転停止の状態では、可動パネル３Ａは前面パネル３表面に接合して同一面となり前面吸込口５を閉成するが、運転時には手前側に突出変位して周囲に室内と連通する隙間を生じさせ、前面吸込口５が室内に開放するよう制御される。
【００１８】
室内機本体２の上部には上面吸込口６が設けられる。この上面吸込口６には枠状の桟が嵌め込まれていて、この桟によって複数の空間部に仕切られる。
【００１９】
室内機本体２の前面下部に吹出口７が開口され、この吹出口７には２枚の吹出ルーバー８ａ、８ｂが並行して設けられる。
【００２０】
各吹出ルーバー８ａ、８ｂは、それぞれの回動姿勢によって吹出口７を開閉し、かつ運転条件に応じて熱交換空気の吹出方向を設定できる。
【００２１】
室内機本体２内には、前側熱交換器部９Ａと後側熱交換器部９Ｂとで略逆Ｖ字状に形成される熱交換器９が配置されるとともに、この熱交換器９の一側部に電気部品箱１０が並設される。前側熱交換器部９Ａは、前面パネル３と間隙を存してほぼ平行な湾曲状に形成されて前面吸込口５と上面吸込口６と対向し、後側熱交換器部９Ｂは直状に形成されて上面吸込口６と斜めに傾斜して対向する。
【００２２】
熱交換器９の前後側熱交換器部９Ａ、９Ｂ相互間に室内送風機１１が配置される。室内送風機１１は、室内機本体２の一側端のスペースに配置されたファンモータと、このファンモータの回転軸に一方の支軸が機械的に連結される横流ファンとから構成される。
【００２３】
横流ファンの先端部を支持する軸受部と隣接した位置であり、室内機本体２の他側端のスペースには、吸排気装置（図示省略）が設けられる。
【００２４】
前側熱交換器部９Ａの下端部には前ドレンパン１２ａ、後側熱交換器部９Ｂの下端部には後ドレンパン１２ｂが各々設けられ、前、後ドレンパン１２ａ、１２ｂは、両熱交換器部９Ａ、９Ｂから滴下するドレン水を受け、図示しない排水ホースを介して外部に排水する。
【００２５】
従って、室内機本体２内には、前面吸込口５あるいは上面吸込口６と、吹出口７間に、熱交換器９及び室内送風機１１を介して通風路１３が形成される。
【００２６】
一方、前面パネル３及び熱交換器９の前面側から上面側との間に亘って枠体組立１４が介在され、この枠体組立１４は取付け具を介して前面パネル３に取付けられる。枠体組立１４の前面部には、枠体前面に配置される左右に二分割された前部エアフィルタ１５、１５が取付けられる。
【００２７】
枠体組立１４の上面には左右に二分割された上部エアフィルタ１６、１６が取付けられる。さらに、各前部エアフィルタ１５の上端と各上部エアフィルタ１６の前端との間に亘って、エアフィルタ清掃ユニット２０が取付けられる。
【００２８】
前部エアフィルタ１５は、通風路１３中で、この通風路１３の一部を形成する前面吸込口５と前側熱交換器部９Ａとの間に介設される。
【００２９】
上部エアフィルタ１６は、同様に通風路１３中で、この通風路１３の一部を形成する上面吸込口６と前側熱交換器部９Ａ一部および後側熱交換器部９Ｂとの間に介設される。
【００３０】
従って、エアフィルタ清掃ユニット２０は、前面吸込口５と上面吸込口６との間の空間部位２１と対向して配置される。
【００３１】
エアフィルタ清掃ユニット２０は、前部エアフィルタ１５及び上部エアフィルタ１６の幅方向長さと同一の幅方向長さに形成され、かつ前後方向にある程度の厚み寸法を有している。
【００３２】
エアフィルタ清掃ユニット２０の配置位置は、前面パネル３における前面部と上面部とが交差する、いわゆる角部内となり、前面パネル３と熱交換器９との間に必然的に形成されるデッドスペースである。
【００３３】
前部エアフィルタ１５、上部エアフィルタ１６は、周囲枠のうち本体幅方向に沿う上下辺部と、幅方向の中央で幅方向とは直交する方向に亘って設けられる中央補強桟の幅寸法が大であり、他の周囲枠および補強桟の幅寸法が小に形成される。これら枠体相互間に形成される開口部に、所定網目のメッシュ部が設けられてなる。
【００３４】
枠体組立１４は、前面パネル３の外枠体の形状に合せて成形され、左右両側部の縦枠とこの両側部の間に架設される中央部、及び前面下部、背面部の横枠を備えた枠体により構成する。なお、このうち、前面下部、背面部の横枠は、一部または全部を省略し、中央部の横枠のみとし、両側部の背面部と前面下部を室内機本体２の後板筐体４に固定するようにしたものでもよく、要は、左右両側部の縦枠とこの両側部の間に架設される中央部の横枠を備えた枠体であればよい。
【００３５】
また、ここでは、枠体の背面部のみ室内機本体２の幅方向全長に亘って対向する全長を有し、この背面部を除く中央部と前面下部の枠体は熱交換器９との幅方向寸法に合せて形成され、熱交換器９と対向する。側面視形状は前面パネル３の断面形状に合せて成形されている。これら枠体相互間は前面吸込口５と上面吸込口６に対向する開口部となっている。
【００３６】
枠体組立１４の前面側には、前部エアフィルタ１５が枠体前面側に取付けられるとともに上部エアフィルタ１６を枠体前面の前部エアフィルタ１５の前面部に延出可能なスペースである前面側エアフィルタ収納部１４ａを備える。
【００３７】
さらに、枠体組立１４の上面側には、枠体内側に分割される上部エアフィルタ１６が取付けられるとともに上部エアフィルタ１６の上面側に前部エアフィルタ１５を延出可能な上面側エアフィルタ収納部１４ｂを備える。この上面側エアフィルタ収納部１４ｂの左右両側部と中央仕切り部は、前部エアフィルタ１５、上部エアフィルタ１６を移動自在に支持するガイド部となっている。
【００３８】
前部エアフィルタ１５に対する塵埃除去運転をなさない通常の状態で、各前部エアフィルタ１５の上端はエアフィルタ清掃ユニット２０内に挿入し支持される。同様に、各上部エアフィルタ１６に対する通常の状態（非塵埃除去運転状態）で、各上部エアフィルタ１６の前端がエアフィルタ清掃ユニット２０内に挿入し支持されている。
【００３９】
枠体組立１４の一側部で、エアフィルタ清掃ユニット２０と対向する位置には、前部エアフィルタ１５及び上部エアフィルタ１６を移動させるエアフィルタ移動機構２１ａ、２１ｂと、対向電極板移動機構２２が設けられる。
【００４０】
図３に示すように、エアフィルタ清掃ユニット２０は、前部エアフィルタ１５及び上部エアフィルタ１６に付着する塵埃を除去する回転ブラシ３０と、上記エアフィルタ１５、１６の風上側にエアフィルタの移動方向に対し横切るように配置されてエアフィルタに対向する面に開口部３２を有し、この回転ブラシ３０を内部に収容するとともに、回転ブラシ３０が除去した塵埃を収集する集塵部としてのダストボックス３１と、このダストボックス３１に設けた開口部３２から一部が外面に露出する回転ブラシ３０と距離Ｌを有し、この回転ブラシ３０風下側の対向位置にダストボックス３１に対し前後方向に移動自在に設けられ、前進状態では、ダストボックス３１の開口部３２に近接もしくは当接位置に移動し、後退状態では、エアフィルタの風下側位置に配置される空間Ｓを設けて対向する導電性を有する対向電極板３３から構成される。なお、必要に応じて通風路１３にわずかに突出する空気流入案内板３４を設け、空間Ｓに空気を流入させるようにしてもよい。
【００４１】
この対向電極板３３は、対向電極板移動機構２２により、２段階に移動され、図７（ｂ）に示すダストボックス３１の開口部３２に近接もしくは当接位置となる最前進状態では、回転ブラシ３０と対向電極板３３間の距離Ｌ０＝０以下の接触状態、図９（ｂ）に示す中間前進状態では、距離Ｌ１＝１〜３ｍｍ、図７（ａ）に示す後退状態Ｌ２＝６〜１５ｍｍに設定される。
【００４２】
また、対向電極板３３の最前進状態では上記ダストボックス３１の開口部３２を略閉塞する状態となり、対向電極３３表面に付着している微細な塵埃を回転ブラシ３０で掻き取る際、離脱した塵埃が出すとボックス内に回収されるように構成する。
【００４３】
さらに、対向電極板３３をダストボックス３１の開口部３２に密着的に接合させることで、ダストボックス３１に接続させた排気ファン(図示せず)により、ダストボックス３１内に収集された塵埃を、室外機外に排出させる際、開口部をふさぐダクトを構成させて、通風量を確保することが可能となる。
【００４４】
なお、このエアフィルタ清掃ユニット２０は、回転ブラシ３０の清掃の容易性から枠体組立１４に着脱可能に取り付けられる。
【００４５】
さらに、図４及び図５（ａ），（ｂ）に示すように、回転ブラシ３０は、導電性の中心軸３０ａと導電性円筒状の基材３０ｂに等間隔で複数本ずつ束ねて植毛され、例えばカーボンファイバー製の導電性毛部材３０ｃからなり、導電性を有し高電圧が印加される電気集塵機の荷電電極部を構成する。
【００４６】
なお、図６（ａ），（ｂ）に示すように、導電性を有する電気集塵機の荷電電極部を構成する回転ブラシ３０Ａは、導電性円筒状の基材３０ｂに、複数の非導電性毛部材３０ｄと、この複数の非導電性毛部材３０ｄ間に等間隔で導電性毛部材３０ｃを植毛してもよい。
【００４７】
一方、対向電極板３３は対向電極板移動機構２２（図２）に移動自在に設けられたカーボンファイバー板あるいは金属板からなり、アース電位（ＧＮＤ）とされた対向電極となる。
【００４８】
次に本発明の一実施形態に係る空気調和機の室内機の動作について説明する。
【００４９】
本室内機１を用いた室内空気の空調時、室内送風機１１の回転に伴い、前面吸込口５及び上面吸込口６から吸込まれた含塵埃空気は、前部エアフィルタ１５、上部エアフィルタ１６を通過して、塵埃が除去され、熱交換器９で冷却あるいは加熱され、室内送風機１１、吹出口７を介して、すなわち通風路１３を通過する間に空気調和される。
【００５０】
一方、エアフィルタ清掃ユニット２０の対向電極板３３は、図４及び図７（ａ）に示すように、広い空間Ｓを設けるように後退位置にあり、Ｌ２＝６〜１５ｍｍに設定される。
【００５１】
上面吸込口６から吸込まれた上部エアフィルタ１６を通過して比較的大きな塵埃が除去された後の微細な塵埃を含む一部の空気が、空気流入案内板３４により、停止状態の導電性を有する電気集塵機の荷電電極部を構成する回転ブラシ３０と対向電極板３３に設けられる空間Ｓに導入される。一方、回転ブラシ３０は、図４及び図８に示すように、高圧に印加された導電性の中心軸３０ａと導電性円筒状の基材３０ｂを介して、導電性毛部材３０ｃは高電圧に印加される。このときの出力電圧−３〜−６ｋＶ、出力電流５０〜２００μＡ、対向電極板３３はアース電位（ＧＮＤ）とされる。
【００５２】
そのため、空間Ｓに導入された空気に含まれる微細な塵埃は、導電性を有する電気集塵機の荷電電極部を構成する回転ブラシ３０と対向電極板３３との間のコロナ放電により、空間Ｓを通過するにあたってイオン化される。対向電極板３３では、回転ブラシ３０と対向電極板３３間における放電作用によって静電気が発生する。空間Ｓでイオン化された塵埃は、この静電気の吸引力により対向電極板３３に捕集される電気集塵作用がなされる。
【００５３】
この集塵時、出力電圧が−３〜−６ｋＶ、出力電流が５０〜２００μＡに制御され、距離Ｌ２を６〜１５ｍｍにすることで、電気集塵機能を保持し、高電圧印加時でも電極間での異常放電を防止できる。
【００５４】
対向電極板３３による塵埃の捕集を継続すると、対向電極板３３の表面に塵埃が溜まるので、予め設定された時間経過後、対向電極板移動機構２２の動作により、対向電極板３３を、図７（ｂ）に示す最前進状態にし、回転ブラシ３０と対向電極板３３間の距離Ｌ０＝０以下、すなわち回転ブラシ３０に対向電極板３３を接触させて、回転ブラシ３０により対向電極板３３の表面に溜まった塵埃を掻き落とし、ダストボックス３１内に回収する。
【００５５】
この際上部および下部のエアフィルタ１５、１６は、それぞれ通常運転時の位置にあり、ダストボックス３１に風下側位置には、フィルタが存在しないため、対向電極板３３を上下移動しても、障害となることがない。
【００５６】
上記のようにして、エアフィルタ清掃ユニット２０の回転ブラシ３０と対向電極板３３の間の間隔が室内機本体２の上面吸込口６から前面吸込口５側に流入する空気の流通路を構成するためこの通風路の電気集塵機能によって、含塵埃空気は塵埃が除去され、被調和空気の通風抵抗を増加させることがない。また、エアフィルタ清掃ユニット２０の部品に電気集塵機能を持たせるので、別個の電気集塵機を設ける必要がなく、室内機１を小形にでき、また、安価に製造ができる。
【００５７】
さらに、空気調和が継続されると、前部エアフィルタ１５及び上部エアフィルタ１６に塵埃が溜まる。
【００５８】
前部エアフィルタ１５、上部エアフィルタ１６の清掃が行われる。
【００５９】
前部エアフィルタ１５と上部エアフィルタ１６の動作、作用は同様であるので、前部エアフィルタ１５の清掃を例にとり説明する。
【００６０】
図９（ａ）、（ｂ）に示すように、対向電極板３３は中間前進状態では、中間幅の空間Ｓが形成されるように、距離Ｌ１＝１〜３ｍｍである。
【００６１】
回転ブラシ３０が回転されるとともに、エアフィルタ移動機構２２（図３）の駆動により、塵埃が溜まった前部エアフィルタ１５は、中間幅の空間Ｓを移動し、対向電極板３３が裏面に配置された状態で、表面に溜まった塵埃は、回転ブラシ３０によって掻き落とされる。
【００６２】
このようにして、回転ブラシ３０により、前部エアフィルタ１５の表面に溜まった塵埃を除去することができる。
【００６３】
この際、対向電極板３３は、エアフィルタ１５の裏面に接して、裏面から支持する構成でもよいが、フィルタ裏面に接触せず離間された状態でもよい。
【００６４】
さらに、エアフィルタ清掃時、クーロン力により塵埃を除去する機能を用いるのが好ましい。
【００６５】
例えば、回転ブラシ３０と対向電極板３３の電極の極性は切換えられ、回転ブラシ３０はアース電位（ＧＮＤ）とされ、対向電極板３３は高電圧、出力電圧は−１〜−３ｋＶ、出力電流は０にする。
【００６６】
また、回転ブラシ３０と対向電極板３３との距離Ｌは１〜３ｍｍにする。これにより、異常放電を防止することができる。
【００６７】
このとき、図９（ｂ）に示すように、対向電極板３３は高電圧が印加され、前部エアフィルタ１５に溜まった塵埃はプラスに帯電し、アース電位（ＧＮＤ）とされた回転ブラシ３０にクーロン力により吸引される。
【００６８】
上記のように、前部エアフィルタ１５に溜まった塵埃は、回転ブラシ３０による掻き落とし及びクーロン力により吸引の相乗作用により、確実に除去され、一時的にダストボックス３２内に収容される。
【００６９】
なお、本実施形態では、前部エアフィルタ１５の表面に溜まった塵埃を回転ブラシにより掻き落とす例で説明したが、図１０（ａ）に示す状態で対向電極板３３に収集された塵埃についても、図１０（ｂ）に示すように、高電圧の極性を替え、さらに、対向電極板３３を中間前進状態にして、対向電極板３３に付着した塵埃をクーロン力により吸引して除去するようにしてもよい。
【００７０】
本実施形態の空気調和機の室内機によれば、エアフィルタ清掃機能と電気集塵機能を一体に備えたエアフィルタ清掃ユニットにより、エアフィルタに捕集した塵埃をブラシで掻き取るとともに、被調和空気中の微細な塵埃を回転ブラシと対向電極板との電気集塵機能により除去し、被調和空気の通風抵抗を減少し、あらゆる塵埃を確実に除去でき、小型で安価なエアフィルタ清掃機能を備えた空気調和機の室内機が実現する。
【符号の説明】
【００７１】
１  室内機
２  室内機本体
３  前面パネル
３Ａ  可動パネル
４  後板筐体
５  前面吸込口
６  上面吸込口
７  吹出口
９  熱交換器
９Ａ  前側熱交換器部
９Ｂ  後側熱交換器部
１１  室内送風機
１３  通風路
１４  枠体組立
１５  前部エアフィルタ
１６  上部エアフィルタ
２０  エアフィルタ清掃ユニット
２１  空間部位
２１ａ、２１ｂ  エアフィルタ移動機構
２２  対向電極板移動機構
３０  回転ブラシ
３０ａ  中心軸
３０ｂ  基材
３０ｃ  導電性毛部材
３１  ダストボックス
３２  開口部
３３  対向電極板
３４  空気流入案内板
Ｓ  空間
【図１】
2010203683.tif 000003
【図２】
2010203683.tif 000004
【図３】
2010203683.tif 000005
【図４】
2010203683.tif 000006
【図５】
2010203683.tif 000007
【図６】
2010203683.tif 000008
【図７】
2010203683.tif 000009
【図８】
2010203683.tif 000010
【図９】
2010203683.tif 000011
【図１０】
2010203683.tif 000012